(57)【要約】【課題】  無線基地局単体で容易に常時データ送受信動作チェックができる機能を有する無線基地局を提供する。【解決手段】  無線基地局であって、試験用データを出力する保守監視手段と、試験用データが出力されると一定時間を計測するタイマ手段と、通信データの送受信制御を行う伝送路信号切替手段と、試験用データを受信すると当該試験用データを折り返しデータに変換して前記伝送路信号切替手段へ出力する折り返し制御手段とを有し、前記保守監視手段が、試験用データを出力し、前記タイマ手段が計測する一定時間内に、折り返しデータを受信できなかった場合に、前記伝送路信号切替手段に異常が発生していることを検出する。【選択図】  図２
2008289062.tif 000002
【特許請求の範囲】
【請求項１】
無線基地局であって、
試験用データを出力する保守監視手段と、
試験用データが出力されると一定時間を計測するタイマ手段と、
通信データの送受信制御を行う伝送路信号切替手段と、
試験用データを受信すると当該試験用データを折り返しデータに変換して前記伝送路信号切替手段へ出力する折り返し制御手段とを有し、
前記保守監視手段が、試験用データを出力し、前記タイマ手段が計測する一定時間内に、折り返しデータを受信できなかった場合に、前記伝送路信号切替手段に異常が発生していることを検出することを特徴とする無線基地局。
【発明の詳細な説明】
【技術分野】
【０００１】
本発明は、通信用デバイス動作異常を検出する為の機能を有する無線基地局に関するものである。
【背景技術】
【０００２】
事前にユーザリソースの異常を確認することによって、システム保守管理に優れた無線基地局が知られる（例えば下記特許文献１参照）。
【０００３】
この無線基地局は、呼処理におけるユーザリソース状態を監視し、異常が発生した場合に呼処理制御部に通知するリソース状態監視手段を有する無線基地局において、リソース状態監視手段が空きリソースを用いて確認用擬似信号による上り信号を折り返して下り信号としてユーザリソースの確認を行うと共に、異常を検出した場合は、異常発生箇所と対応手段を特定するようにしている。
【特許文献１】特開２００６−２０１４３号公報
【発明の開示】
【発明が解決しようとする課題】
【０００４】
しかしながら、従来の無線基地局における導通試験用の仕組（例えばATM回線では、JT-I.610にて規定されているOAMセルによるF4ループバック試験）では、一般に無線基地局設置時のみに実行されるだけであり、無線基地局が運用に入った後にこのような導通試験が実施されることは無い為、無線基地局運用開始後のデバイス異常検出は困難であった。また、この導通試験を客先での不具合調査時に実施するにあたっては、導通試験用データを送出する為の重い装置を持っていく必要があり、保守作業も大変であった。
【０００５】
本発明は、上述した問題点を解決するためになされたものであり、無線基地局単体で容易に常時データ送受信動作チェックができる機能を有する無線基地局を提供することを目的としている。
【課題を解決するための手段】
【０００６】
上述した課題を解決するため、本発明は、無線基地局であって、試験用データを出力する保守監視手段と、試験用データが出力されると一定時間を計測するタイマ手段と、通信データの送受信制御を行う伝送路信号切替手段と、試験用データを受信すると当該試験用データを折り返しデータに変換して前記伝送路信号切替手段へ出力する折り返し制御手段とを有し、前記保守監視手段が、試験用データを出力し、前記タイマ手段が計測する一定時間内に、折り返しデータを受信できなかった場合に、前記伝送路信号切替手段に異常が発生していることを検出することを特徴とするものである。
【発明の効果】
【０００７】
本発明によれば、無線基地局単体で容易に常時データ送受信動作チェックができるという効果を奏する。
【発明を実施するための最良の形態】
【０００８】
以下、本発明の実施の形態を図を用いて説明する。
【０００９】
実施の形態１．
図１は本発明の実施の形態における全体システムを示すブロック図、図２は実施の形態１における無線基地局を示すブロック図、図３は通信プロセッサの内部構成を示すブロック図である。
【００１０】
図１に示すシステムは、移動局１０１、無線基地局１０２、無線制御装置１０３、交換機１０４、網１０５から構成される。
【００１１】
無線基地局は、無線網制御装置とインタフェースをとる伝送路インタフェース部２０１、呼制御を実施する呼処理制御部２０２、保守監視制御を実施する保守監視制御部２０３、装置内の信号を分離多重する伝送路信号切替機能部２０４、移動局と無線インタフェースを介して接続する手段としての無線送受信部２０５、無線信号の増幅制御を行う無線増幅部２０６、送出データを保持する為の記憶部２０７、保守用端末との接続制御を行なう外部インタフェース制御部２０８から構成されている。
【００１２】
これらの中で通信データの送受信制御を行うのは、伝送路信号切替機能部２０４であるが、この送受信制御を高速に効率良く行う為に、図４に示すようなRISCマイコン等を有する通信プロセッサが最近では多く採用されている（本説明ではRISCマイコンとして説明する）。
【００１３】
ここで通信プロセッサの通常の送信時動作を説明する。呼処理制御部２０２や保守監視制御部２０３や無線送受信部２０５側から伝送路インタフェース部２０１に対してデータ送信する際には、上記の送信元各機能部にて作成された送信データ（内部フォーマット変換されたデータも含む）をRISCマイコン３０１およびMPU（Micro Processing Unit）３０２の両方からアクセス可能な共有メモリ３０３にMPU３０２が書込む。
【００１４】
この書込みが完了すると、MPU３０２からRISCマイコン３０１へ送信可能通知（共有メモリ内の送信可能フラグをONする等）が行われる。そして、この送信可能状態をRISCマイコン３０１が検出すると、RISCマイコン３０１がMPU３０２と非同期のタイミングで共有メモリ３０３に書込まれている送信データを、伝送路インタフェース部２０８を介して無線網制御装置１０３へ送出される（伝送路インタフェース部側から無線送受信部２０５に対してデータ送信する際も通信プロセッサとしては同様の動作となる）。
【００１５】
本発明の実施の形態１において、送出試験用データを無線基地局内部で折返すポイントを構成する折り返し機能が伝送路インタフェース部２０１に構成されている。
【００１６】
ここで折返し機能とは、挿入された送信試験用データに対し、データの一部のビットを反転させたり、特定の固定データに書換えるなどにより、その折返しデータであることを示す目的で送信試験用データの内容を一部変更し、伝送路信号切替機能部２０４に折返す機能のことをいう。
【００１７】
また、通常流れるデータと送信試験用データの識別方法としては、試験データの一部に特定コードを入れたり、特定パターンのデータとしたり、試験用データ専用の通信チャネルを設けたりしても良いものとする。
【００１８】
次に、本実施の形態１の通信用デバイス送受信確認機能の動作方法例について図４、図５に示すフローチャートを用いて以下に示す。
【００１９】
無線基地局１０２の全機能が起動されて運用状態に入ると（Ｓ１１）、保守監視制御部２０３において、通常トラフィックに影響の無い周期の周期タイマを使用し、定期的に送受信動作確認試験処理をCALLする（Ｓ１２）。そこで、固定パターンの試験用データを作成し（Ｓ２１）、試験用データを送出して（Ｓ２２）、試験用データ受信監視用タイマも発行する（Ｓ２３）。
【００２０】
この試験用データは、伝送路信号切替機能部２０４において振分けられ、伝送路インタフェース部２０１の折返し機能に対して送出される。そして、これら折返しポイントより、変換された送信試験用データが折返ってくると、再び伝送路信号切替機能部２０４を介して、この折返り送信試験用データを保守監視制御部２０３に送出する。
【００２１】
これを保守監視制御部２０３側で受信すると（Ｓ２４）、送信時にセットした試験用データ受信監視用タイマを停止する（Ｓ２５）。もし、この監視タイマがタイムアウトした場合は、デバイス異常が発生しているということになり、障害ログを残したり、通信用デバイスの自己リセットなどのデバイス異常処理を実施する（Ｓ２６）。
【００２２】
なお、無線基地局における折返し機能の有無については、記憶部２０７に保存されているシステムパラメータ等により判別できるものであり、保守監視制御部の初期化処理時（Ｓ１１）に展開されるものとする。
【００２３】
実施の形態２．
以上に述べた実施の形態１は、伝送路インタフェース部２０１に折り返し機能を設けた場合について説明したが、この折り返し機能は、単独に折り返し試験部３０９を設けて、該折り返し試験部３０９により構成するようにしても良い。なお、図３において、他の構成における図２と同一符号が付されたものは、図２において説明したものに相当している。
【００２４】
以上、本発明の実施の形態によれば、以下のような効果が得られる。
（１）無線基地局単体で、通信デバイス送信確認試験を実施することができる。
（２）運用中にデバイス異常による送信異常状態を検出することができる為、異常検出できない為の不要な運用停止時間を短縮できることができる。
（３）デバイス異常を検出できることにより、送信異常状態を検出した際に障害ログを残したり、デバイスリセット等の自律復旧処理を講じることも可能となる。
（４）現地不具合調査時に必要であった導通試験用の重い装置を持っていく必要が無くなり、保守作業が容易になる。
【図面の簡単な説明】
【００２５】
【図１】本発明の実施の形態における全体システムを示すブロック図である。
【図２】本発明の実施の形態１における無線基地局を示すブロック図である。
【図３】通信プロセッサの内部構成を示すブロック図である。
【図４】保守監視制御部処理を示すフローチャートである。
【図５】通信用デバイス送受信動作確認機能処理を示すフローチャートである。
【図６】本発明の実施の形態２における無線基地局を示すブロック図である。
【符号の説明】
【００２６】
１０１  移動局、１０２  無線基地局、１０３  無線網制御装置、１０４  交換機、１０５  網、２０１，２０１Ａ  伝送路インタフェース、２０２  呼処理制御部、２０３  保守監視制御部、２０４  伝送路信号切替機能部、２０５  無線送受信部、２０６  無線増幅部、２０７  記憶部、２０８  外部インタフェース制御部、２０９  折返し試験部。
【図１】
2008289062.tif 000003
【図２】
2008289062.tif 000004
【図３】
2008289062.tif 000005
【図４】
2008289062.tif 000006
【図５】
2008289062.tif 000007
【図６】
2008289062.tif 000008